(57)【特許請求の範囲】
【請求項１】
複数の階床間をサービスする複数台のエレベーターと，前記エレベーターを制御する制御装置と，各階床のエレベーターホールでエレベーターを呼び寄せるホール呼び登録装置と，各階床の各エレベーターの出入口付近に設置されるサービス状況案内表示装置とを備え、前記登録ホール呼びにサービスするエレベーターを割当てる割当て手段を有するエレベーターの群管理制御装置において、
前記サービス状況案内表示装置のうちから運行状況または汎用情報の案内表示を行うサービス状況案内表示装置を選択する表示選択手段と，前記表示選択手段により選択したサービス状況案内表示装置へ運行状況または汎用情報を案内表示する手段と，前記ホール呼び登録後に、前記表示選択手段からの情報に基づき当該階の前記サービス状況案内表示装置に案内表示しているエレベーターを優先的に選択し割当てるサービスエレベーター選択手段とを備えたことを特徴とするエレベーターの群管理制御装置。
【請求項２】
請求項１において、
前記表示エレベーター選択手段には、各エレベーターに案内表示実施ゾーン，案内表示非実施ゾーンを設定する手段のいずれかを備え、当該階が案内表示実施ゾーンであるサービス状況案内表示装置を選択することを特徴とするエレベーターの群管理制御装置。
【請求項３】
請求項１において、
前記サービスエレベーター選択手段には、案内表示内容に割当て優先順位を付加し、その割当て優先順位の高いエレベーターを選択することを特徴とするエレベーターの群管理制御装置。
【請求項４】
請求項１において、
上記運行状況の案内として、エレベーターのかご位置，運転方向，サービス階，かご内の混雑具合，特定階の混雑状況，待ち時間の内１つ以上を案内表示することを特徴とするエレベーターの群管理制御装置。
【請求項５】
請求項４において、
各階におけるかご位置を表示するエレベーターは、同方向について１台とすることを特徴とするエレベーターの群管理制御装置。
【請求項６】
請求項１において、
現在のかご呼びの登録状況からサービスゾーンを案内する手段を設けたことを特徴とするエレベーターの群管理制御装置。
【請求項７】
請求項６において、
案内表示した表示内容に応じてかご呼び登録機能を制限する手段を設けたことを特徴とするエレベーターの群管理制御装置。
【発明の詳細な説明】
【０００１】
【産業上の利用分野】
本発明は、各階のエレベーターホールに案内表示装置を備えたエレベーターの群管理制御装置に関する。
【０００２】
【従来の技術】
従来の群管理制御方式においては、複数台のエレベーターにより能率のよいエレベーターサービスを行なうために、エレベーターホールでホ−ル呼びが登録されると、その呼びに対する各エレベーターの到着予定時間などの評価値を基に、サービスに最適なエレベーターを決定する「ホール呼び割当て方式」が用いられている。
【０００３】
この「ホール呼び割当て方式」では、ホールの利用客の待ち時間やかご内での乗車時間を短縮するために、「エレベーターがホール呼びを通過する」ことや
「ホール呼びに遠方のエレベーターを割り当てる」というホール呼び割当て制御を行うことがある。
【０００４】
このような群管理エレベーターには、ホールに予約灯や到着灯を設け、エレベーターのサービスを報知しているが、予約灯や到着灯のみではホールの利用客は、エレベーターが「どこにいるのか」とか、「どのぐらい待てば乗れるのか」ということがわからないため不安になる。そこで、エレベーター台数の少ないビルや、台数の多いビルでも顧客要求により、ホールの予約，到着灯の他にエレベーターのかご位置表示器を設置する場合がある。この場合、ホールのかご位置表示器は、全台，常時点灯しているため、前述した「エレベーターがホール呼びを通過する」ことや「ホール呼びに遠方のエレベーターを割り当てる」という現象がかご位置表示器を通して利用客の目に見えるため、かえって、利用客に不信感やイライラ感を抱かせることがあった。
【０００５】
この問題を解決するために、いくつかの提案が為されている。
【０００６】
特開昭56−28173 号公報には、複数台のエレベーター全台にかご位置表示器を設置した群管理エレベーターにおいて、エレベーターがかご呼びまたはホール呼びに応じて停止予定となった階床に、当該エレベーターの位置を表示することが記載されている。
【０００７】
実開昭52−159569号公報には、複数台のエレベーター全台にかご位置表示器を設置し、上記かご位置表示器を常時点灯している群管理エレベーターにおいて、ホール呼び登録時に、このホール呼びにサービスするエレベーターのみかご位置表示を継続し、それ以外のエレベーターのかご位置表示器は消灯するのことが記載されている。
【０００８】
実開平1−159683 号公報には、サービス予定エレベーターがホール呼びに所定距離まで近づいたことや、その登録ホール呼びへの到着予定時間が所定時間以内になったことを条件にかご位置表示を行う方法が記載されている。
【０００９】
特開平1−192686 号公報には、各階の乗り場に、一定時毎または必要時に全階床の上下方向に関して仮想ホール呼びを発生させる装置を設け、この仮想ホール呼びにサービスするエレベーターを割り当て、既ホール呼びにサービスするエレベーターと共に、その時点における各エレベーターのかご位置と移動方向を合わせて表示することが記載されている。
【００１０】
【発明が解決しようとする課題】
各階のホール呼びが登録されたことを条件に、エレベーターのかご位置表示を行うものにおいては、ホールの利用客がホール釦を押すまでは、かご位置表示は行われていない。そのため、急いで階間を移動したい利用客などは、エレベーターを利用するか否かを判断するために、ホール釦を押して乗り場表示器にかご位置を表示させる。この場合、割り当てられたエレベーターが、その階から遠い位置にいると、ホール釦を押した利用客は階段やエスカレーターを利用するため、エレベーターがサービスした時には乗り場に利用客がいないということがあった。
【００１１】
上記とは逆に、各階のホール呼びが登録されたことを条件に、当該ホール呼びの割当てエレベーター以外のエレベーターかご位置表示を消灯するものにおいては、「このエレベーターが来るだろう」と推測し、待っている利用客に対して、かご位置表示の消灯が、裏切り行為となるという問題があった。
【００１２】
また、上記どちらの場合も、登録ホール呼びにサービスするエレベーターは、乗り場の利用客の立ち位置とは無関係に決定されるため、複数のエレベーターが並んで配置されている場合に、利用客が立っている位置から遠いエレベーターが割り当てられた時には、利用客がサービスエレベーターの前まで、長い距離を移動しなければならないことがあった。
【００１３】
サービス予定エレベーターがホール呼びに所定距離まで近づいたことや、その登録ホール呼びへの到着予定時間が所定時間以内になったことを条件にかご位置表示を行うものにおいては、エレベーターの距離や到着予定時間しか考慮していないため、ビル内が混雑している時などは、かご位置表示を行った後に、かご内が満員になり、かご位置表示を行った階にサービスできないという問題があった。
【００１４】
全階のホール呼びを仮想し、その仮想ホール呼びのサービスエレベーターと登録ホール呼びのサービスエレベーターの両方のかご位置と移動方向を合わせて表示するものにおいては、複数のエレベーターがホールにかご位置表示を行うため、利用客の混乱を招き易いという問題があった。
【００１５】
本発明の目的は、ホールの利用客がホール釦を押す前に、ホールにかご位置やかご内の混雑具合等を事前に案内し、利用客をサービスエレベーターに誘導すること、各エレベーターに案内表示実施・非実施ゾーンを設定し、案内表示を行う階床を制限することにより、利用客のいる階に近いエレベーターがサービスすることを報知し、利用客の長待ちによるイライラ感を軽減させること、ホール呼び登録時、案内表示を行っているエレベーターにそのホール呼びを割当てることにより、確実な案内表示を行うことにある。
【００１６】
【課題を解決するための手段】
前記目的は、複数の階床間をサービスする複数台のエレベーターと、前記エレベーターを制御する制御装置と、各階床のエレベーターホールでエレベーターを呼び寄せるホール呼び登録装置と、各階床の各エレベーターの出入口付近に設置されるサービス状況案内表示装置とを備え、前記登録ホール呼びにサービスするエレベーターを割り当てる割当て手段を有するエレベーターの群管理制御装置において、前記サービス状況案内表示装置のうちから運行状況または汎用情報の案内表示を行うサービス状況案内表示装置を選択する表示選択手段と、前記により選択したサービス状況案内表示装置へ運行状況または汎用情報を案内表示する手段と、前記ホール呼び登録後に、当該階の前記サービス状況案内表示装置に案内表示しているエレベーターを優先的に選択し割り当てるサービスエレベーター選択手段とを備えたことにより達成される。
【００１７】
【作用】
表示エレベーター選択手段は、各階に案内表示するエレベーターの台数や前記案内表示する階床の制限を行う。また、表示選択手段において選択したサービス状況案内表示装置にエレベーターの運行状況に応じて、エレベーターの運行状況または汎用情報を案内表示する。サービスエレベーター選択手段は、ホール呼び登録後に、当該階のサービス状況案内表示装置の案内表示しているエレベーターを優先的に選択し前記ホール呼びを割り当てる。これらにより、利用客に対するサービスの向上を図る。
【００１８】
【実施例】
本発明を、以下図１から図９に示す実施例により説明する。
【００１９】
図１は、本発明のシステム構成図を示す。本実施例におけるシステムは、４台のエレベーターの群管理制御を行う群管理制御装置Ｘ０１，各エレベーターの運転制御を行う号機制御装置Ｘ０２−Ａ〜Ｄ，各エレベーターの出入口付近に設置されるホール案内表示装置Ｘ０３−Ａ１〜Ａｎ，Ｘ０３−Ｂ１〜Ｂｎ，Ｘ０３−Ｃ１〜Ｃｎ，Ｘ０３−Ｄ１〜Ｄｎ、及び各階のホールに設置されるホール呼び登録装置Ｘ０４−１〜ｎにより構成される。
【００２０】
号機状態テ−ブルＴ０１は、エレベーターの号機制御装置から群管理制御装置に送信される交通流情報や、交通需要を検出するためのかご内荷重（人数）や乗降に関する情報，エレベーター位置，ホール案内表示装置の表示状況，かご呼びの登録状況などの入力情報から成る。
【００２１】
案内表示実施・非実施ゾーン設定プログラムＰ０２は、前記号機状態テーブルＴ０１と、運行予測プログラムＰ０３により設定された各種テーブルＴ０３のデータをもとに、図２に示す案内表示実施・非実施ゾーン設定処理フローチャートに従い、図４に示す案内表示実施ゾーンＺ１〜Ｚ３及び案内表示非実施ゾーン
Ｚ４を案内表示実施・非実施ゾーンテーブルＴ０２に所定時間ごとに設定する
（図３）。
【００２２】
運行予測プログラムＰ０３は、前記号機状態テーブルＴ０１のデータをもとに、各エレベーターの運行予測を行う。その結果を各種テーブルＴ０３に所定時間毎に格納する。各種テーブルＴ０３は、第１，第２到着時間テーブル，第１，第２かご呼びテーブル等で構成される。
【００２３】
ホール呼び登録処理プログラムＰ０４またはホール呼び再割当て処理プログラムＰ０５により、新規ホール呼びまたは再割当てホール呼びをホール呼びテーブルＴ０４へ送信する。ホール呼び割当てプログラムＰ０６は、前記ホール呼びテーブルＴ０４における新規ホール呼びまたは再割当てホール呼びの発生時に、各種テーブルＴ０３と案内表示実施・非実施ゾーンテーブルＴ０２の条件から、前記ホール呼びの割当てエレベーターを選択し、割当てる。割当て結果は、ホール呼び割当てテーブルＴ０６に格納する。また、案内表示実施・非実施ゾーン設定テーブルＴ０２，各種テーブルＴ０３及びホール呼びテーブルＴ０４の情報をもとにサービス階設定テーブルＴ０７を作成し、割当てテーブルＴ０６と共に、群・号機間伝送プログラムＰ０７により号機制御装置へ送信する。
【００２４】
案内表示実施ゾーンに案内表示させるための指令は、表示指令コマンド処理プログラムＰ０８にて作成する。作成した表示指令は、表示指令テーブルＴ０８に格納され、群・号機間伝送プログラムＰ０７を通して号機制御装置へ送信される。
【００２５】
図２は、案内表示実施・非実施ゾーン設定処理の一実施例を示すフローチャートである。
【００２６】
案内表示実施ゾーンは、各エレベーターの進行方向に設定すること、案内表示非実施ゾーンは、各エレベーターの進行とは逆方向に設定することを基本とする。
【００２７】
複数台のエレベーターのうち、あるエレベーターａとそのエレベーターａの直後の後続エレベーターｂについて、エレベーターａ，ｂの時間的な位置間隔から案内表示実施・非実施ゾーンを設定することを考える。
【００２８】
まず、ステップＳ１２において、エレベーターａ，ｂの時間的等間隔位置データを算出する。これにより、各エレ間の時間的等間隔の位置間隔dtabをもとに、ステップＳ１３において、各エレベーターに設定する案内表示優先ゾーンの基準となる基準時間間隔Ｄを算出する。
【００２９】
次に、ステップＳ１４において、時間的等間隔の位置間隔dtabと基準時間間隔Ｄを比較する。
【００３０】
時間的等間隔の位置間隔dtabが基準時間間隔Ｄより長い場合は、ステップＳ15において、エレベーターａの案内表示優先ゾーンの先頭階Ｆsaは、エレベーターａの位置Ｆａとする。
【００３１】
各エレの時間的等間隔の位置間隔dtabが基準時間間隔Ｄより短い場合は、エレベーターｂの案内表示優先ゾーンが、エレベーターａの位置Ｆａを追い越してしまうため、エレベーターａの案内表示優先ゾーンの先頭階Ｆsaの決定には、エレベーターｂの案内表示優先ゾーンへの考慮が必要となる。上記考慮のため、ステップＳ１６で直後のエレベーターｂの位置Ｆｂに基準時間間隔Ｄを階床数に換算した位置ｆ（Ｄ）を加算した位置ＦbDを算出しておく。ステップＳ１７において、エレベーターａの位置ＦａからＦbDの間にエレベーターａの受け持つホール呼びまたはかご呼びがあるか否かを判定する。呼びがない場合は、ステップＳ１９でエレベーターａの案内表示優先ゾーンの先頭階ＦsaをＦbDとする。呼びがある場合は、ステップＳ１８でエレベーターａの案内表示優先ゾーンの先頭階Ｆsaは、このエレベーターａの位置Ｆａに最も近い呼びのある階床Ｆayとする。また、ステップＳ２０において、エレベーターａの位置Ｆａから案内表示優先ゾーンの先頭階Ｆsaまでを案内表示抑制ゾーンとし、案内表示実施・非実施ゾーン設定テーブルＴ０２に設定する。
【００３２】
ステップＳ１５，Ｓ１８，Ｓ１９において、エレベーターａの案内表示優先ゾーンの先頭階Ｆsaが定まった後、ステップＳ２１において、エレベーターａの案内表示優先ゾーンの先頭階Ｆsaに基準時間間隔Ｄを階床数に換算した位置ｆ(Ｄ)を加算し、エレベーターａの案内表示優先ゾーンの最終階Ｆeaとする。ステップＳ２２において、このＦsaからＦeaまでを案内表示優先ゾーンとし、案内表示実施・非実施ゾーン設定テーブルＴ０２に設定する。
【００３３】
ステップＳ２３において、案内表示優先ゾーンの最終階Ｆeaの次の階からエレベーターの進行方向における端階までを汎用情報表示ゾーン，エレベーターの進行と逆方向を案内表示保留ゾーンとし、案内表示実施・非実施テーブルＴ０２に設定する。ステップＳ１４からＳ２４の処理が、全エレベーターに関して終了したか否かをステップＳ２５で判定し、全エレベーター終了するまで繰り返す。
【００３４】
図３に案内表示実施・非実施ゾーンテーブルの一実施例を示す。
【００３５】
図２のフローチャートに示す処理を実施した具体的な例を、エレベーター台数４台，サービス階床数１２階の場合を例に図４で説明する。今、エレベーターＡ号機ＥＡが５階，エレベーターＢ号機ＥＢが８階，エレベーターＣ号機ＥＣが２階をアップ方向に走行し、エレベーターＤ号機ＥＤが９階をダウン方向に走行しているとする。この状態において各エレベーターの案内表示優先ゾーンＺ１Ａ，Ｚ１Ｂ，Ｚ１Ｃ，Ｚ１Ｄ，表示内容の一部、例えばかご位置の表示を制限する案内表示抑制ゾーンＺ２Ａ，Ｚ２Ｂ，Ｚ２Ｄ，汎用情報表示ゾーンＺ３Ａ，Ｚ３Ｂ，Ｚ３Ｃ，Ｚ３Ｄ，案内表示保留ゾーンＺ４Ａ，Ｚ４Ｂ，Ｚ４Ｃ，Ｚ４Ｄの設定をエレベーターＤ号機ＥＤ，Ｃ号機ＥＣ，Ａ号機ＥＡ，Ｂ号機ＥＢの順に考える。
【００３６】
今、案内表示実施・非実施ゾーン設定プログラムにおいて算出した基準時間間隔Ｄを階床数に換算した値を５階床とする。エレベーターＤ号機ＥＤとＣ号機ＥＣの位置間隔は９階床であるので、エレベーターＤ号機ＥＤの案内表示優先ゾーンＺ１ＤをエレベーターＤ号機ＥＤの位置９階からダウン方向に５階まで設定する。エレベーターＣ号機ＥＣとＡ号機ＥＡの位置間隔は３階床である。エレベーターＣ号機ＥＣの案内表示優先ゾーンＺ１ＣはエレベーターＣ号機ＥＣの位置２階からアップ方向に６階までの設定となり、エレベーターの位置間隔が５階床より短いので、エレベーターＡ号機ＥＡの案内表示優先ゾーンＺ１Ａは７階から１１階まで、エレベーターＡ号機ＥＡの案内表示抑制ゾーンＺ２Ａは５階から６階までの設定となる。また、エレベーターＡ号機ＥＡとＢ号機ＥＢの位置間隔は３階床であり、エレベーターＢ号機ＥＢの割当てホール呼びＨＢも考慮するため、エレベーターＢ号機ＥＢの案内表示優先ゾーンＺ１Ｂは１０階から１２階まで、エレベーターＢ号機ＥＢの案内表示抑制ゾーンＺ２Ｂは８階から９階までの設定となる。各エレベーター共、案内表示優先ゾーン最終階の次の階から進行方向の端階までを汎用情報表示ゾーン（Ｚ３Ａ，Ｚ３Ｂ，Ｚ３Ｃ，Ｚ３Ｄ）とし、進行と逆方向を案内保留ゾーン（Ｚ４Ａ，Ｚ４Ｂ，Ｚ４Ｃ，Ｚ４Ｄ）とする。
【００３７】
各エレベーターのホール案内表示装置には、上記にて設定した各ゾーンに以下の案内表示を行う。案内表示優先ゾーン（Ｚ１Ａ，Ｚ１Ｂ，Ｚ１Ｃ，Ｚ１Ｄ）には、エレベーターかご位置と運転方向（ＨＹ１−Ａ，Ｂ，Ｃ，Ｄ）を、汎用情報表示ゾーン(Ｚ３Ａ，Ｚ３Ｂ，Ｚ３Ｃ，Ｚ３Ｄ)には、現在の時刻（ＨＹ３−Ａ，Ｂ，Ｃ，Ｄ）を表示する。案内表示抑制ゾーン(Ｚ２Ａ，Ｚ２Ｂ，Ｚ２Ｄ)，案内表示保留ゾーン(Ｚ４Ａ,Ｚ４Ｂ，Ｚ４Ｃ，Ｚ４Ｄ）は、運転方向のみまたは非表示（ＨＹ４−Ａ，Ｂ，Ｃ，Ｄ）とする。また、エレベーターＡ号機ＥＡとＢ号機ＥＢについては、案内表示優先ゾーンＺ１Ａ，Ｚ１Ｂが、１０階と１１階で重なっており、２台共かご位置を表示すると、ホール利用客の混乱を招く恐れがあるため、エレベーター位置の遠いＡ号機ＥＡは、運転方向表示のみ（ＨＹ２−Ａ）とする。
【００３８】
図５，図６，図７にて、各エレベーターの種々の運行状態における各階層の表示状況を説明する。
【００３９】
図５は中層階向け表示の例（６階の例）である。パターンａ１では、エレベーターＢ号機（以下Ｂ号機）とエレベーターＤ号機（以下Ｄ号機）が６階の近くにいるので、夫々かご位置と運転方向を表示し、エレベーターＣ号機(以下Ｃ号機)はＢ号機より遠いので時刻を表示し、エレベーターＡ号機（以下Ａ号機）は、
１１階を上方向に走行中のため遠ざかる状況に有り、且つ遠方のため表示をしない。ホール呼びは同方向のＢ号機に割り当てられる（待ち時間表示有）。パターンａ２では、Ｂ号機とＤ号機は食堂階（７階）にサービスする途中であり、「食堂階サービス中」と「かご位置・運転方向」を交互に表示する。Ｂ号機はかご内混雑であり満員に近いため、かご内混雑表示にて利用客をＢ号機へ誘導することを避けている。Ａ号機はＢ号機の次に６階に近いので、かご位置と運転方向を表示し利用客をＡ号機に誘導する。パターンａ３では、ビル内に利用客が少ない時間帯である場合を示す。この場合Ｃ号機が６階で待機しているので、Ｃ号機のかご位置を表示し利用客を誘導する。他の号機は表示しない。
【００４０】
図６は上層階向け表示の例（１１階の例）である。パターンｂ１では、Ａ号機とＢ号機とＣ号機が表示している。Ｂ号機とＣ号機は、夫々１０階と９階を上方へ走行中の表示をしている。Ｂ号機の方がＣ号機より１１階に近いので、１１階に発生したダウンホール呼びはＢ号機に割り当てられる。Ａ号機は、Ｂ，Ｃ号機より遠くにいるため時刻を表示している。パターンｂ２では、Ａ号機とＣ号機とＤ号機が表示している。Ａ号機は、１２階で戸閉じ中であり、ロビーへ直行運転するため、「ロビーへ直行」と「かご位置」を交互に表示する。発生したダウンホール呼びは一番早くサービスできるＣ号機が割り当てられている。Ｄ号機は５階を走行中につき、時刻を表示している。パターンｂ３では、Ｂ号機とＤ号機がそれぞれかご位置と運転方向及びサービス方向を表示している。Ｂ号機とＤ号機では、Ｄ号機の方が１１階に近いが、Ｄ号機は１２階にかご呼びを持っており、１１階のダウンホール呼びに到着が遅れるため、Ｄ号機は待ち時間を多く表示し、ホール呼びはＢ号機に割り当てる。
【００４１】
図７は下層出発階向け表示の例（１階の例）である。パターンｃ１は、出発階混雑の場合であり、Ａ〜Ｄ号機全て、表示を出している。Ａ号機とＢ号機が１階に近いのでかご位置を表示している。パターンｃ２はＡ，Ｂ号機とＣ，Ｄ号機で分割急行運転を行う場合である。Ａ，Ｂ，Ｃ，Ｄ号機全てサービス階表示と走行表示を交互に行い、１階に近いエレベーターが、かご位置を表示する。
【００４２】
案内表示の内容によるホール呼び割当ての例を図８にて説明する。図８において、４台のエレベーターの表示状況がエレベーターＡ号機ＥＡは運転方向表示のみ、エレベーターＢ号機ＥＢは運転方向とかご位置表示，エレベーターＣ号機ＥＣは時刻表示，エレベーターＤ号機ＥＤは非表示であるとする。この状態において、新規ホール呼びが発生した場合、案内表示優先割当て処理により、新規ホール呼びの割当てエレベーターは、案内表示を出しているエレベーターＡ号機
ＥＡ，Ｂ号機ＥＢ，Ｃ号機ＥＣの中から選択される。その結果、通常、新規ホール呼びは、重要な表示情報の多い号機、即ちかご位置を表示しているエレベーターＢ号機ＥＢに割り当てられる。しかし、時々刻々の状況の変化、特にロビー階や食堂階から乗り込んだ乗客のかご呼びによる進行の遅れや、満員の発生などによる他の号機が選択されることも、混雑時には多く発生する。
【００４３】
かご呼びの登録状況からサービスゾーンを選択表示する例を図９を用いて説明する。図９はＡ，Ｃ，Ｄ号機がそれぞれ１，Ｂ１，４階をサービス中、Ｂ号機が９階を走行中に２階の食堂階にＵＰホール呼びが発生した場合を示している。この時、Ａ号機には４，５，６階のかご呼びが、Ｃ号機には７，９階のかご呼びが登録されており、そのかご呼びにサービスすることが決定している。この時既に登録されているかご呼びから、案内表示用のサービスゾーンをＡ号機は、４〜６階，Ｃ号機は、７〜９階とし、２階の乗り場に設置した案内表示装置に案内表示済みとする。また、この時の食堂階の混雑は過大であると予測されるので、新たに発生した２階のＵＰホール呼びには、案内表示を出しているＡ，Ｃ号機の２台を割当てる。また、既に登録されているかご呼びから、かご呼び登録不可範囲を既に乗り場に案内している階床通りに設定し、かご呼びの登録を制限することにより、エレベーターの一周時間を短縮する。
【００４４】
【発明の効果】
本発明によれば、ホールに案内表示を実施するエレベーターの台数を制限することにより、ホールにおいて利用客をサービスエレベーターの前に誘導することや、各階毎に、該階に設けた複数の案内表示装置のうちかご位置を表示する案内表示装置を１台とすることにより、利用者がエレベーターを選び易くすることができる。また、ホール呼び登録時に、ホールに案内表示を行っているエレベーターの中から、割当てエレベーターを選択することにより、確実な案内表示となり、案内表示内容に対する利用客の不信感，イライラ感を軽減することができる。
【図面の簡単な説明】
【図１】本発明のシステム構成を示す図である。
【図２】本発明の案内表示実施・非実施ゾーン設定処理のフローチャートである。
【図３】本発明の案内表示実施・非実施ゾーン設定テーブルの構成例である。
【図４】本発明の階床別案内表示実施の例を示す図である。
【図５】本発明の案内表示状況（中層階）の例を示す図である。
【図６】本発明の案内表示状況（上層階）の例を示す図である。
【図７】本発明の案内表示状況（下層出発階）の例を示す図である。
【図８】本発明の案内表示内容によるホール呼び割当ての例を説明する図である。
【図９】本発明のかご呼びの登録状況からサービスゾーンを選択表示する図である。
【符号の説明】
Ｘ０１…群管理制御装置、Ｘ０２−Ａ〜Ｄ…号機制御装置、Ｘ０３−Ａ１〜Ａｎ，Ｘ０３−Ｂ１〜Ｂｎ，Ｘ０３−Ｃ１〜Ｃｎ，Ｘ０３−Ｄ１〜Ｄｎ…案内表示装置、Ｘ０４−１〜ｎ…ホール呼び登録装置、Ｐ０２…案内表示実施・非実施ゾーン設定プログラム、Ｐ０３…運行予測プログラム、Ｐ０４…ホール呼び登録処理プログラム、Ｐ０５…ホール呼び再割当て処理プログラム、Ｐ０６…ホール呼び割当てプログラム、Ｐ０７…群・号機間伝送プログラム、Ｐ０８…表示指令コマンド処理プログラム、Ｔ０１…号機状態テーブル、Ｔ０２…案内表示実施・非実施ゾーン設定テーブル、Ｔ０３…各種テーブル、Ｔ０４…ホール呼びテーブル、Ｔ０６…ホール呼び割当てテーブル、Ｔ０７…サービス階設定テーブル、Ｔ０８…表示指令テーブル。
【図１】
0003769308.tif 000002
【図２】
0003769308.tif 000003
【図３】
0003769308.tif 000004
【図４】
0003769308.tif 000005
【図５】
0003769308.tif 000006
【図６】
0003769308.tif 000007
【図７】
0003769308.tif 000008
【図８】
0003769308.tif 000009
【図９】
0003769308.tif 000010